(57)【要約】【課題】パソコン操作用のマウス利用時において、疲労を軽減する構造のマウスを提供する。【解決手段】マウスの形状は側面視略半円形であって、マウスを包み込む様に掌全体を載置し、クリック操作部はマウス前面の下方略垂直面に備えられるため、クリック利用の人差指と中指は、通常のやや持ち上げた状態と異なり力を抜いた脱落した状態となる為、疲労を軽減することができる。また、手の重量を支持するため個人の掌の大きさに対応する必要があり、そこでマウスの底面の前方に支点を設け光センサを該支点直近に備え、マウス底面の後方に設けた脚部を伸縮することでマウスの高さを可変可能とした。【選択図】図４
2019040375.tif 000002
【特許請求の範囲】
【請求項１】
パソコン操作用のマウスにおいて、
側面視略半円形であって、
正面視中央上面は曲面状であり、両側面は稍垂直面となる平面若しくは緩やかな曲面状であって、
前面下部にクリック操作部を備え、
且つ適所に備えられた操作切替えスイッチにより側面に備えられたサイドクリックボタンとサイドホイールとの操作を可能としたマウス。
【請求項２】
マウス底面の前方に設けられた傾斜用支点直近に光センサを備え、該傾斜用支点を中心にスライド脚部の長さを変更することで、マウスの高さを可変とすることを特徴とする請求項１のマウス。
【発明の詳細な説明】
【技術分野】
【０００１】
本発明は、パソコン操作用のマウスに関する。
【背景技術】
【０００２】
デスクトップのパソコンはマウスによって操作されるのが常であり、マウスの大きさや形状も類似するものである。これは自分専用のパソコンのみならず、他のパソコンを使用する場合も多く、この状況での違和感をなくし、操作性に支障を来さないことが最大の要因と考えられる。
【０００３】
しかしパソコンは長時間、また長期間利用することも多く、腕や肩の疲れが取沙汰されている。これに対し引用文献１では手の大きい人にとってはマウスが小さすぎるため、補助具を使い大きい形状とすることで掌に収まりよく安定した操作を促し、疲れの軽減を図る形態が開示されている。
【０００４】
また引用文献２にはマウスの適所にツボを備え、遠赤外線を照射することで疲労を緩和する形態が開示されている。また疲労とは直接関わるものではないものの、机上の狭い範囲での利用を可能とするグリップタイプのマウスが記載されており、これはクリックボタンが増設しやすい形状といえる。
【０００５】
マウスにおいてはさほど多く見られないものの、手首や腕等に対しては、リストレスト、アームレスト、リストベルト、磁気ベルト等数々が考案され流通に至るものも見られる。
【０００６】
マウスの長時間利用による肩や腕の疲労の原因として考えられるのは、例えば過度の緊張であったり、長時間に亘る手首の固定姿勢であったりする。この手首の固定姿勢とは、単に手を動かさずに固定するのではなく、手首より先がマウスの上方に位置し、つまり手首が反り上がった状態となり疲れやすい姿勢となる。またクリックに備え、人差し指と中指とがマウス上方に浮いた状態で支持され、僅かな力ではあるものの長時間においては疲労は増すばかりである。
【先行技術文献】
【特許文献】
【０００７】
【特許文献１】特開２００２−２２２０４５号公報
【特許文献２】特開２００１−１５４８００号公報
【発明の概要】
【発明が解決しようとする課題】
【０００８】
そこで長時間のマウス利用に対し、疲れを軽減する効果的なマウスを提供することを課題とする。
【課題を解決するための手段】
【０００９】
腕の疲れを軽減するには、腕と手首と手とが自然な形となる姿勢が最も有効であり、机上でのマウスの操作位置に手を置いた状態といえる。この状態とは、机上に最も重量が掛かるのは、手首の外側の関節（月状骨）である。内側の関節（舟状骨）は稍浮いた状態であり重量は掛からない。その他では小指や親指の側面であったり、指の先端であったりする。また肘をついたり、腕を机の手前側の角にて支持する場合もあるが、これは机の高さや個人の姿勢に関わるものであり、特に重要とはいえない。通常としては、月状骨にて手首を固定しマウスを揺動しながら操作する方法が用いられる。
【００１０】
そこで、この状態を維持し、且つクリック操作に用いるための人差指と中指を持ち上げ、マウス上方に浮いた状態で支持するのではなく、この２本の指を脱力した状態でマウスの上に載置する。つまりマウスの上面にはクリック操作部がない形状である。このクリック操作部を備える箇所としては、脱力した人差指と中指との先端（指紋部分）となる。当然指の重量が掛からない略垂直面に備えられる。これについては形態の項にて図面を交え詳しく説明する。
【発明の効果】
【００１１】
この形状のマウスは、クリック操作に備え指を持ち上げて持つ状態と異なり、指を含む腕全体が脱力・リラックスした状態であり疲労の蓄積を防止することとなる。
【図面の簡単な説明】
【００１２】
【図１】本発明によるマウスの平面図
【図２】本発明によるマウスの側面図
【図３】本発明によるマウスの正面図
【図４】本発明によるマウスの利用時における側面図
【図５】本発明によるマウスの利用時における正面図
【図６】本発明によるマウスの高さ変更見取図
【発明を実施するための形態】
【００１３】
形態について図１〜６を参照し詳しく説明する。まず形状については、手を載置し脱力した状態とする為、手の重量を分散して支持する必要があり、手の重心ともいえる中指の付け根近傍を支持し、掌全体はマウス（１）に軽く触れている状態が操作性にも適するといえる。そこで図２による側面視略半円形が最適といえる。またクリック操作のための人差指と中指はマウス（１）上に載置され親指は机上で脱落しつつ側面から軽くマウス（１）を支持し、薬指と小指も反対の側面において同様にマウス（１）を支持する。
【００１４】
手首の月状骨は机上にて腕等の重量を支える状態であり、この月状骨を中心として、マウス（１）を軽く支持する親指と小指とにより揺動することでカーソル移動を容易とすることができる。つまりは掌の中にマウス（１）はすっぽり包み込まれる大きさである。ここで個人差による掌の大きさへの対応は後に記載する。
【００１５】
クリック操作部の構成は、クリック左ボタン（２）とクリック右ボタン（３）とホイール（４）とがマウス（１）の前面下方となる略垂直面に配置される（図２参照）。よって指の重量が影響するものではない。操作部の配置は従来に準ずるものとなるが、クリックボタンは指の触感で認識する必要があり、図１による凸状であってもよいし、また凹状であってもよい。また従来と同様先端部が左右に２分割され、先端部を加圧することでクリック操作を行う方法でもよい。
【００１６】
次にマウス（１）に手を載置するのではなく、更にリラックスさせ、例えば両側面より軽く支持するだけであれば、更に疲労を軽減することができ、クリック操作やホイール操作も頻繁に行わない場合はこの方法がより適切といえる。そこで適所に備えられた操作切替えスイッチ（５）によって、サイドクリックボタン（６ａ）とサイドホイール（６ｂ）とを操作可能状態とする。この側面に設けられた操作部と前面に設けられた主操作部とが、同時に操作可能となる場合と、交互に操作可能となる場合とがあり、何れか限定されるものではない。しかしこの構造は右利きと左利きとに利用できるものではなく、個々の利用を主眼としている。
【００１７】
次にマウス（１）を、個人差による掌の大きさに対応させる形状として、図６によるスライド脚部（７）を設け任意の位置で固定することで対応可能となる。またこの状態はマウス底面の前方に傾斜用支点（８）を設けてあるが、これは底面の光センサが、机上面（９）より少し離れることで感度が低下し、時には感知しない場合もあると考えられる。そこでこの傾斜用支点（８）の直近に光センサを備えることで通常と同じ操作が可能となる。
【００１８】
またマウス底面の前方となる「前方」の必然性は、マウス操作の揺動時には手首より遠い位置、つまり指先に近い程揺動しやすいからである。傾斜用支点（８）より前方のマウス底面は、前方へと高くなる傾斜面である。またスライド脚部（７）を備える位置は、マウス（１）の底面や側面であってもよく操作時の安定が得られれば設置位置や設置個数、また形状等限定されるものではない。
【符号の説明】
【００１９】
１    マウス
２    クリック左ボタン
３    クリック右ボタン
４    ホイール
５    操作切替えスイッチ
６ａ  サイドクリックボタン
６ｂ  サイドホイール
７    スライド脚部
８    傾斜用支点
９    机上面
【図１】
2019040375.tif 000003
【図２】
2019040375.tif 000004
【図３】
2019040375.tif 000005
【図４】
2019040375.tif 000006
【図５】
2019040375.tif 000007
【図６】
2019040375.tif 000008